(57)【要約】【課題】気泡運転機能を有する風呂装置において、簡易な構成によって、気泡運転時に浴槽に吐出される水流をユーザが熱く感じるのを防止する。【解決手段】循環ポンプ１２０の作動によって、浴槽水の循環経路が形成されると、熱交換器１３０によって、循環浴槽水の温度を設定温度に維持するための温度制御が実行される。浴槽循環経路は、熱交換器１３０の下流側に配置された三方弁１５０による流路切換によって、保温運転モード用の浴槽アダプタ２１から浴槽１０へ水流が出力される経路と、気泡運転モード用の浴槽アダプタ２２から浴槽１０へ水流が出力される経路の一方に設定される。温度制御の設定温度は、気泡運転モードでは、保温運転モードよりも低く設定される。【選択図】図１
2018099424.tif 000002
【特許請求の範囲】
【請求項１】
第１の運転モードにおいて気泡が混入されていない循環浴槽水を出力するための第１の送出口と、第２の運転モードにおいて前記気泡が混入された前記循環浴槽水を出力するための第２の送出口とを有する浴槽と接続される風呂装置であって、
前記第１の送出口と接続される第１の送水口と、
前記第２の送出口と接続される第２の送水口と、
浴槽から浴槽水が入力される受水口と、
外部の熱源機から供給される熱媒との間での熱交換によって、前記受水口から入力された前記循環浴槽水を昇温するための熱交換器と、
前記熱交換器と前記第１および第２の送水口との間に配置された流路切替機構と、
前記熱交換器における昇温および前記流路切替機構による流路を制御するための制御部とを備え、
前記制御部は、
前記第１の運転モードにおいて、前記循環浴槽水の温度を第１の基準温度に制御するように前記熱交換器における昇温を制御するとともに、前記熱交換器から出力された浴槽水を前記第１の送水口へ導く経路が形成されるように前記流路切替機構を制御する一方で、
前記第２の運転モードにおいて、前記循環浴槽水の温度を前記第１の基準温度よりも低い第２の基準温度に制御するように前記熱交換器における昇温を制御するとともに、少なくとも一部の期間において前記熱交換器から出力された浴槽水を前記第２の送水口へ導く経路が形成されるように前記流路切替機構を制御する、風呂装置。
【請求項２】
前記受水口から入力された浴槽水の温度を検出するための第１の温度検出器をさらに備え、
前記制御部は、前記第１の運転モードにおいて、前記第１の温度検出器による第１の検出温度を前記第１の基準温度に制御する一方で、前記第２の運転モードにおいて、前記第１の検出温度を前記第２の基準温度に制御する、請求項１記載の風呂装置。
【請求項３】
前記熱交換器から出力された浴槽水の温度を検出するための第２の温度検出器をさらに備え、
前記制御部は、前記第２の運転モードにおいて、前記第２の温度検出器による第２の検出温度が前記第２の基準温度よりも高いときには、前記熱交換器から出力された浴槽水を前記第１の送水口へ導く経路が形成されるように前記流路切替機構を制御する一方で、前記第２の検出温度が前記第２の基準温度以下のときには、前記熱交換器から出力された浴槽水を前記第２の送水口へ導く経路が形成されるように前記流路切替機構を制御する、請求項１または２記載の風呂装置。
【請求項４】
前記風呂装置の外部の薬液注入装置からの薬液が前記循環浴槽水に注入される薬液注入口をさらに備え、
前記薬液注入口は、前記受水口から前記流路切替機構までの経路内に設けられる、請求項１〜３のいずれか１項に記載の風呂装置。
【請求項５】
前記制御部は、前記第２の運転モードにおける前記循環浴槽水中の前記薬液の濃度が、前記第１の運転モードにおける前記薬液の濃度よりも低くなるように、前記薬液注入装置への制御指令を生成する、請求項４記載の風呂装置。
【請求項６】
前記風呂装置の外部から大気を吸入するための吸気口と、
前記流路切替機構から前記第２の送出口までの経路内に設けられた、前記浴槽水に前記大気を混入する混入口と、
前記吸気口から吸入された大気の温度を検出するための第３の温度検出器と、
前記第２の送出口から出力される浴槽水の温度を検出するための第４の温度検出器と、
前記吸気口および前記混入口の間に配置された開閉弁とをさらに備え、
前記制御部は、前記第２の運転モードにおいて、前記第３の温度検出器による第３の検出温度が第３の基準温度よりも低い場合には、前記第４の温度検出器による第４の検出温度が第４の基準温度よりも低い期間において前記開閉弁を閉止し、
前記第４の基準温度は、前記第２の基準温度よりも低い、請求項１〜５のいずれか１項に記載の風呂装置。
【発明の詳細な説明】
【技術分野】
【０００１】
この発明は風呂装置に関し、より特定的には、循環浴槽水に気泡を混入する運転モードを有する風呂装置に関する。
【背景技術】
【０００２】
循環浴槽水を加熱する追焚運転と、循環浴槽水に気泡を混入する気泡運転とを選択的に実行可能な風呂装置が、実公平３−１３３１７号公報（特許文献１）に記載されている。また、特公平２−１２１２４号公報（特許文献２）には、浴槽水の循環経路において、ろ過、加熱、および気泡混入を行う構成が記載されている。特許第５４２３７７４号公報（特許文献３）には、追焚用の浴槽水循環経路内に第１および第２の微小気泡発生装置を配置することで、微小気泡を発生させる構成が記載されている。
【０００３】
さらに、特開２０１０−１９７０１８号公報（特許文献４）には、形状記憶合金で形成されたバネによって作動する第１および第２の弁を内蔵した循環金具を用いることによって、気泡運転用の流路と、追焚運転用の流路とを、湯温に応じて自動的に切替える構成が記載されている。また、気泡運転中に自動保温機能が働いて追焚が実行される場合には、通常の追焚運転と比較して、熱源機のバーナ点火本数を削減する、あるいは、熱交換器へ入力される一次循環経路を流れる熱媒体の温度を低下する制御が記載されている。
【先行技術文献】
【特許文献】
【０００４】
【特許文献１】実公平３−１３３１７号公報
【特許文献２】特公平２−１２１２４号公報
【特許文献３】特許第５４２３７７４号公報
【特許文献４】特開２０１０−１９７０１８号公報
【発明の概要】
【発明が解決しようとする課題】
【０００５】
気泡運転時には、気泡が混入された循環浴槽水をユーザに直接当てるように水流方向が設定されることが一般的である。さらに、マッサージ効果を高めるために、高い流速のジェット水流の態様で出力することが一般的である。したがって、気泡が混入された水流の温度が高い場合には、ユーザが通常よりも熱さを感じることが懸念される。
【０００６】
特許文献４の構成によれば、気泡運転中に湯温が高くなると、形状記憶合金の変形によって循環浴槽水の経路を自動的に切替えることにより、気泡が混入された水流の温度が高くなり過ぎることを防止できる。
【０００７】
しかしながら、特許文献４では、形状記憶合金によるバネ等を内蔵した特別な構成の循環金具が必要となるので、構造が複雑化する。また、気泡運転中に自動保温機能が働いた場合には、通常の追焚運転よりも加熱量を減少させる制御が記載されているが、気泡運転中の出力温度が一定温度よりも高くならないための構成については、上述の特別な構造の循環金具に依拠している。
【０００８】
この発明はこのような問題点を解決するためになされたものであって、この発明の目的は、追焚運転機能および気泡運転機能を有する風呂装置において、簡易な構成によって、気泡運転時に浴槽に吐出される気泡が混入された水流をユーザが熱く感じるのを防止することである。
【課題を解決するための手段】
【０００９】
この発明のある局面では、風呂装置は、第１および第２の送出口を有する浴槽と接続される。第１の送出口は、第１の運転モードにおいて気泡が混入されていない循環浴槽水を出力するために設けられる。第２の送出口は、第２の運転モードにおいて気泡が混入された循環浴槽水を出力するために設けられる。風呂装置は、第１の送出口と接続される第１の送水口と、第２の送出口と接続される第２の送水口と、浴槽から浴槽水が入力される受水口と、熱交換器と、流路切替機構と、制御部とを備える。熱交換器は、外部の熱源機から供給される熱媒との間での熱交換によって、受水口から入力された循環浴槽水を昇温するように構成される。流路切替機構は、熱交換器と第１および第２の送水口との間に配置される。制御部は、熱交換器における昇温および流路切替機構による流路を制御するように構成される。制御部は、第１の運転モードにおいて、循環浴槽水の温度を第１の基準温度に制御するように熱交換器における昇温を制御するとともに、熱交換器から出力された浴槽水を第１の送水口へ導く経路が形成されるように流路切替機構を制御する。一方で、制御部は、第２の運転モードにおいて、循環浴槽水の温度を、第１の基準温度よりも低い第２の基準温度に制御するように熱交換器における昇温を制御するとともに、少なくとも一部の期間において熱交換器から出力された浴槽水を第２の送水口へ導く経路が形成されるように流路切替機構を制御する。
【００１０】
上記風呂装置によれば、熱交換器の下流側に配置された流路切替機構によって、循環浴槽水への気泡の混入有無を切替ることができるので、簡易な構成により、循環浴槽水に気泡が混入されない第１の運転モード、および、循環浴槽水に気泡が混入される第２の運転モードを選択的に適用できるとともに、第１および第２の運転モードを通じた循環浴槽水の温度制御において、第２の運転モードにおける温度を、第１の運転モードよりも低くすることができる。これにより、気泡を混入された水流（たとえば、高流速のジェット水流）がユーザに直接当たったときにユーザが熱さを感じることを防止できる。
【００１１】
好ましくは、制御部は、第１の温度検出器をさらに備える。第１の温度検出器は、受水口から入力された浴槽水の温度を検出するように配置される。制御部は、前記第１の運転モードにおいて、前記第１の温度検出器による第１の検出温度を前記第１の基準温度に制御する一方で、前記第２の運転モードにおいて、前記第１の検出温度を前記第２の基準温度に制御する。
【００１２】
このように構成すると、浴槽から風呂装置へ導入される循環浴槽水の温度に基づいて、第１の運転モード（気泡混入無し）および第２の運転モード（気泡混入有り）のそれぞれで、循環浴槽水を適温（第１および第２の基準温度）に制御することができる。
【００１３】
また好ましくは、風呂装置は、熱交換器から出力された浴槽水の温度を検出するための第２の温度検出器をさらに備える。制御部は、第２の運転モードにおいて、第２の温度検出器による第２の検出温度が第２の基準温度よりも高いときには、熱交換器から出力された浴槽水を第１の送水口へ導く経路が形成されるように流路切替機構を制御する一方で、第２の検出温度が第２の基準温度以下のときには、熱交換器から出力された浴槽水を第２の送水口へ導く経路が形成されるように流路切替機構を制御する。
【００１４】
このように構成すると、循環浴槽水に気泡が混入される第２の運転モードでは、熱交換器からの出力温度に基づいて流路切替機構を制御することにより、第２の運転モードでの設定温度（第２の基準温度）よりも高温の浴槽水が、気泡が混入されて浴槽へ出力されることを防止できる。これにより、気泡が混入された水流がユーザに熱さを感じさせることを、さらに確実に防止できる。
【００１５】
また好ましくは、風呂装置は、風呂装置の外部の薬液注入装置からの薬液が循環浴槽水に注入される薬液注入口をさらに備える。薬液注入口は、受水口から流路切替機構までの経路内に設けられる。
【００１６】
このように構成すると、流路切替機構の上流側に薬液注入口が設けられているので、第１の運転モード（気泡混入無し）および第２の運転モード（気泡混入有り）の両方で、薬液注入装置からの薬液の注入によって循環浴槽水中の薬液濃度を維持調整することが可能である。
【００１７】
あるいは好ましくは、制御部は、第２の運転モードにおける循環浴槽水中の薬液の濃度が、第１の運転モードにおける薬液の濃度よりも低くなるように、薬液注入装置への制御指令を生成する。
【００１８】
このように構成すると、第２の運転モード（気泡混入有り）における循環浴槽水中の薬液濃度を、第１の運転モード（気泡混入無し）よりも低くすることができる。したがって、循環浴槽水に気泡が混入されることにより、ユーザが薬液の匂いを感じ易い第２の運転モードにおける不快感を抑制することができる。
【００１９】
あるいは好ましくは、風呂装置は、風呂装置の外部から大気を吸入するための吸気口と、浴槽水に大気を混入する混入口と、吸気口から吸入された大気の温度（雰囲気温度）を検出するための第３の温度検出器と、第２の送出口から出力される浴槽水の温度を検出するための第４の温度検出器と、吸気口および混入口の間に配置された開閉弁とをさらに備える。混入口は、流路切替機構から第２の送出口までの経路内に設けられる。制御部は、第２の運転モードにおいて、第３の温度検出器による第３の検出温度が第３の基準温度よりも低い場合には、第４の温度検出器による第４の検出温度が第４の基準温度よりも低い期間において開閉弁を閉止する。第４の基準温度は、第２の基準温度よりも低い。
【００２０】
このように構成すると、第２の運転モード（気泡混入有り）において、雰囲気温度が低い場合には、気泡の混入によって循環浴槽水の温度が低下し過ぎることを防止できるので、ユーザに不快感を与えることを防止できる。
【発明の効果】
【００２１】
この発明によれば、気泡運転機能を有する風呂装置において、簡易な構成によって、気泡運転時に浴槽に吐出される気泡が混入された水流をユーザが熱く感じるのを防止することができる。
【図面の簡単な説明】
【００２２】
【図１】実施の形態１に従う風呂装置を備える浴場システムの概略構成図である。
【図２】風呂装置の運転モードの遷移図である。
【図３】保温運転モードでの制御処理を説明するフローチャートである。
【図４】気泡運転モードでの制御処理を説明するフローチャートである。
【図５】薬液注入制御を説明するフローチャートが示される。
【図６】実施の形態２に従う風呂装置を備える浴場システムの概略構成図である。
【図７】実施の形態２に従う風呂装置における薬液濃度制御のための制御処理を説明するフローチャートである。
【図８】実施の形態１に従う風呂装置において、実施の形態２と同様の薬液濃度制御を行なうための制御処理を説明するフローチャートである。
【図９】実施の形態３に従う風呂装置を備える浴場システムの概略構成図である。
【図１０】実施の形態３に従う風呂装置における開閉弁の制御処理を説明するためのフローチャートである。
【発明を実施するための形態】
【００２３】
以下に、本発明の実施の形態について図面を参照して詳細に説明する。なお以下では図中の同一または相当部分には同一符号を付してその説明は原則的に繰返さないものとする。
【００２４】
［実施の形態１］
図１は、実施の形態１に従う風呂装置１００ａを備える浴場システム５ａの概略構成図である。
【００２５】
浴場システム５ａは、浴槽１０と、循環配管４０〜４２によって浴槽１０に接続される風呂装置１００ａとを備える。風呂装置１００ａは、浴槽１０内の湯または水（以下、両者を包括して「浴槽水」とも称する）を循環させる。風呂装置１００ａの運転モードは、追焚によって保温された循環浴槽水について、気泡が混入された状態で供給するための「気泡運転モード」と、気泡を混入することなく供給するための「保温運転モード」とを含む。浴槽１０の近傍には、ユーザが気泡運転モードの開始を指令するためのジェットスイッチ１５が設けられる。
【００２６】
浴槽１０には、風呂装置１００ａから供給された循環浴槽水を、浴槽内へ出力するための浴槽アダプタ２１および２２が設けられる。気泡運転モードで使用される浴槽アダプタ２２は、気泡が混入された循環浴槽水を出力する。一方で、浴槽アダプタ２１は、保温運転モードにおいて、気泡が混入されていない循環浴槽水を出力する。さらに、浴槽１０には、循環浴槽水を吸入するための吸入金具２０が設けられる。
【００２７】
浴槽アダプタ２２は、いわゆるジェットノズル機能を有し、水流を絞ることによって、高流速の水流（ジェット水流）を出力するように構成される。通常、浴槽アダプタ２２は、水流が直接ユーザに当たるように、浴槽底面に対して略平行に水流を進行させるように構成される。
【００２８】
一方で、浴槽アダプタ２１は、ジェットノズル機能を具備しないことで、浴槽アダプタ２２よりも低流速で循環浴槽水を出力することができる。なお、気泡が混入されない循環浴槽水に関しては、気泡が混入された場合とは異なり、ユーザに直接当てる必要性は低い。このため、比較的小型の浴槽では、熱い湯が直接ユーザに当たらないように、浴槽アダプタ２１については、循環浴槽水を浴槽１０の側面に沿って上下に進行させるように構成することも可能である。
【００２９】
このように、通常、浴槽アダプタ２１および２２の間では、出力される水流の速度および／または方向が異なっており、浴槽アダプタ２２の方が、水流の温度が高いときにユーザが熱さを感じ易くなっている。
【００３０】
風呂装置１００ａは、受水口１１０と、送水口１１１，１１２とを有する。受水口１１０は、循環配管４０を経由して、浴槽１０の吸入金具２０と接続される。送水口１１１は、循環配管４１を経由して、浴槽１０の浴槽アダプタ２１と接続される。送水口１１２は、循環配管４２を経由して、浴槽１０の浴槽アダプタ２２と接続される。循環配管４０〜４２には、手動の開閉弁５０〜５２をそれぞれ配置することができる。
【００３１】
風呂装置１００ａは、さらに、ヘアーキャッチャー１０５と、循環ポンプ１２０と、熱交換器１３０と、三方弁１５０とを含む。
【００３２】
ヘアーキャッチャー１０５は、受水口１１０と、循環ポンプ１２０の吸入側との間に配置される。熱交換器１３０は、一次側経路１３１および二次側経路１３２を有する。循環ポンプ１２０の吐出側は、配管１４０を経由して、二次側経路１３２の一方側と接続される。
【００３３】
三方弁１５０は、ポートＡ、ポートＢおよびポートＣを有する。ポートＡは、配管１４１を経由して、二次側経路１３２の他方側と接続される。ポートＣは、配管１４２を経由して、送水口１１２と接続される。ポートＢは、配管１４３を経由して、送水口１１１と接続される。
【００３４】
三方弁１５０は、制御部１０２からの制御指令に従って、ポートＡおよびポートＢを連通させる状態１と、ポートＡおよびポートＣを連通させる状態２との一方を選択的に形成するように構成される。
【００３５】
風呂装置１００ａでは、循環ポンプ１２０が作動すると、受水口１１０から入力された浴槽水が、三方弁１５０が状態１および状態２のいずれであるかに応じて、送水口１１１または送水口１１２から選択的に出力されるように、浴槽水の循環経路が形成される。
【００３６】
具体的には、循環浴槽水は、ヘアーキャッチャー１０５、循環ポンプ１２０、配管１４０、二次側経路１３２（熱交換器１３０）、および、配管１４１を経由した後、三方弁１５０が状態１に制御される場合には、配管１４３から送水口１１１へ出力される。一方で、三方弁１５０が状態２に制御される場合には、循環浴槽水は、ヘアーキャッチャー１０５、循環ポンプ１２０、配管１４０、二次側経路１３２（熱交換器１３０）、および、配管１４１を経由した後、配管１４２から送水口１１２へ出力される。
【００３７】
送水口１１２および浴槽アダプタ２２の間を接続する循環配管４２の途中には、吸気口３０から吸入されたエアーの配管と接続されるエアー混入口４５が設けられる。たとえば、吸気口３０は、浴槽１０が配設される浴室の壁面に設けることができる。すなわち、図１の構成例では、エアー混入口４５は、風呂装置１００ａの外部に設けられている。
【００３８】
これにより、三方弁１５０が状態２に制御されているときに、循環配管４２を経由して浴槽アダプタ２２から出力される循環浴槽水に対して、気泡が混入される。このとき、循環ポンプ１２０によって吸入される浴槽水の流量は、エジェクター効果によって気泡を混入できる流速が生じるように設定される。
【００３９】
一方で、送水口１１１および浴槽アダプタ２１の間を接続する循環配管４１には、循環配管４２のようなエアー混入のための機構は配置されない。このため、三方弁１５０が状態１に制御されているときに、浴槽アダプタ２１から出力される循環浴槽水には、気泡は混入されていない。
【００４０】
制御部１０２は、たとえばマイクロコンピュータによって構成される。制御部１０２は、予め格納されたプログラムを実行するソフトウェア処理および／または専用の電子回路によるハードウェア処理によって、ユーザからの操作指示に沿って、風呂装置１００ａの動作を制御する。
【００４１】
風呂装置１００ａには、ユーザが操作指示を入力するためのリモートコントローラ（以下、単に「リモコン」と称する）１９０が設けられる。リモコン１９０には、複数のスイッチ１９２が設けられる。スイッチ１９２は、プッシュスイッチによって構成されてもよく、タッチパネル上に形成されてもよい。スイッチ１９２には、風呂装置１００ａの電源をオンオフするためのメインスイッチと、浴槽水の循環運転をオンオフするための連続運転スイッチとが、少なくとも含まれる。さらに、リモコン１９０は、スイッチ１９２の操作によって、保温運転モードにおける浴槽水の目標温度を調整可能とすることができる。これらのスイッチ１９２へのユーザ操作は、制御部１０２へ送信される。
【００４２】
制御部１０２には、ジェットスイッチ１５からの信号がさらに入力される。これにより、制御部１０２は、ジェットスイッチ１５のユーザ操作による、気泡運転モードの開始指令を検知することができる。
【００４３】
風呂装置１００ａは、熱交換器１３０の一次側経路１３１の両端とそれぞれ接続された、熱媒体入力口１２１および熱媒体出力口１２２をさらに含む。熱媒体入力口１２１および熱媒体出力口１２２は、風呂装置１００ａの外部に配置された熱源機２００と接続される。熱源機２００は、任意のエネルギによって加熱された熱媒体を出力するように構成される。たとえば、熱源機２００として、ボイラーを用いることができる。
【００４４】
熱媒体入力口１２１および熱媒体出力口１２２は、配管を経由して、熱源機２００と接続される。熱源機２００は、風呂装置１００ａの制御部１０２からの制御指令をトリガとして、作動および停止を制御できるように構成される。
【００４５】
熱源機２００の作動時には、熱媒体入力口１２１および熱媒体出力口１２２を経由して一次側経路１３１を通過する、熱媒体の循環経路が形成される。これにより、熱交換器１３０では、一次側経路１３１および二次側経路１３２の間での熱交換により、二次側経路１３２を通過する循環浴槽水が昇温される。一方、熱源機２００の停止時には、熱媒体の循環が停止されるため、一次側経路１３１には温度低下した熱媒体が滞留する。この結果、二次側経路１３２を経由する循環浴槽水は昇温されない。
【００４６】
したがって、熱源機２００の作動および停止を制御することにより、熱交換器１３０からの循環浴槽水の出力温度を制御することが可能となる。なお、図１中に記載するように、熱源機２００と、熱媒体入力口１２１および熱媒体出力口１２２との間には、手動の開閉弁を配置することができる。
【００４７】
さらに、風呂装置１００ａに対しては、薬液注入装置２１０が接続される。薬液注入装置２１０は、殺菌作用を有する薬液（たとえば、塩素）を蓄積する薬液タンク２１５と、薬液を循環浴槽水に注入するための薬液ポンプ２１２とを有する。薬液タンク２１５には、液面を検知するためのレベル計２１６が配置されている。配管１４１の途中には、配管を経由して薬液ポンプ２１２の吐出口と接続された薬液注入口１７０が設けられる。
【００４８】
さらに、薬液ポンプ２１２は、風呂装置１００ａの制御部１０２からの制御指令をトリガとして作動および停止を制御できるように構成される。薬液ポンプ２１２の作動時には、薬液が薬液注入口１７０へ供給されて、循環浴槽水に混入される。したがって、薬液ポンプ２１２を定期的に作動することにより、浴槽水中の薬液濃度（たとえば、塩素濃度）を所定レベルに維持することができる。また、レベル計２１６による検出値を制御部１０２へ入力することにより、風呂装置１００ａによって、薬液の残量を管理することができる。
【００４９】
制御部１０２は、さらに、循環ポンプ１２０の作動および停止を制御する。上述のように、制御部１０２が循環ポンプ１２０を作動させることにより、風呂装置１００ａによって浴槽水の循環経路を形成することができる。さらに、制御部１０２は、三方弁１５０を状態１および状態２のいずれかに制御するための制御指令をさらに生成する。
【００５０】
風呂装置１００ａでは、循環ポンプ１２０の作動時に、三方弁１５０を状態２に制御すると、送水口１１２および循環配管４２を含む経路により、気泡が混入された循環浴槽水が、水流を形成して、浴槽アダプタ２２から出力される。一方で、循環ポンプ１２０の作動時に、三方弁１５０を状態１に制御すると、送水口１１１および循環配管４１を含む経路により、気泡が混入されていない循環浴槽水が、浴槽アダプタ２１から出力される。このように、風呂装置１００ａでは、三方弁１５０による流路切替制御により、循環浴槽水に対する気泡の混入の実行および停止を切替えることができる。
【００５１】
風呂装置１００ａには、循環浴槽水の受水口１１０での入水温度Ｔ１を検出するための温度検出器１６１と、循環浴槽水の熱交換器１３０からの出力温度Ｔ２を検出するための温度検出器１６２とが配置される。
【００５２】
さらに、吸気口３０に対応して、吸入される大気の温度（雰囲気温度）Ｔ３を検出するための温度検出器１６３が配置される。また、気泡が混入された循環浴槽水を出力するための浴槽アダプタ２２に対しては、循環浴槽水の出力温度Ｔ４を検出するための温度検出器１６４が設けられる。なお、図１では図示を省略しているが、温度検出器１６１〜１６４による検出温度Ｔ１〜Ｔ４は、制御部１０２に入力される。
【００５３】
図１の構成において、浴槽１０の浴槽アダプタ２１は「第１の送出口」に対応し、浴槽アダプタ２２は「第２の送出口」に対応する。すなわち、保温運転モードは「第１の運転モード」に対応し、気泡運転モードは「第２の運転モード」に対応する。また、風呂装置１００ａにおいて、送水口１１１は「第１の送水口」に対応し、送水口１１２は「第２の送水口」に対応する。また、三方弁１５０は「流路切替機構」の一実施例に対応する。さらに、温度検出器１６１〜１６４は、「第１の温度検出器」〜「第４の温度検出器」にそれぞれ対応する。
【００５４】
次に、風呂装置１００ａの運転モードを説明する。図２には、風呂装置１００ａの運転モードの遷移図が示される。
【００５５】
図２を参照して、風呂装置１００ａの運転モードは、停止モードと、待機モードと、起動モードと、保温運転モードと、気泡運転モードとを有する。
【００５６】
停止モードは、リモコン１９０においてメインスイッチがオフされている状態であり、風呂装置１００ａの電源がオフされている状態である。停止モードにおいて、メインスイッチがオンされると、風呂装置１００ａは待機モードに遷移する。
【００５７】
待機モードでは、循環ポンプ１２０は停止されており、浴槽水の循環はまだ行なわれていない。待機モードでは、三方弁１５０はデフォルトである状態１に制御される。待機モードにおいて、リモコン１９０で連続運転スイッチがオンされると、風呂装置１００ａは保温運転モードに遷移する。
【００５８】
保温運転モードでは、循環ポンプ１２０が作動されて、浴槽水の循環が開始される。また、三方弁１５０は状態１に制御されるので、気泡が混入されていない循環浴槽水が、浴槽アダプタ２１から出力される。さらに、保温運転モードでは、後述するように、循環浴槽水を設定温度Ｔｓｅｔに維持するための温度制御が実行される。
【００５９】
なお、風呂装置１００ａは、タイマ運転機能を有するように構成されてもよい。タイマ運転では、リモコン１９０を用いて予め入力された、風呂装置１００ａの運転開始時刻が到来するまで、待機モードから保温運転モードへの遷移（すなわち、循環ポンプ１２０の起動）が延期される。
【００６０】
保温運転モードにおいて、ジェットスイッチ１５がオンされると、風呂装置１００ａは、気泡運転モードへ遷移する。保温運転モードおよび気泡運転モードにおいて、循環ポンプ１２０の作動は継続される。
【００６１】
気泡運転モードでは、ジェットスイッチ１５がオンされてからの経過時間が、予め定められたジェットタイマ時間（たとえば、数分）に達すると、風呂装置１００ａは、保温運転モードへ遷移する。これにより、保温運転モードの開始後には、循環ポンプ１２０が連続的に作動する下で、ユーザによるジェットスイッチ１５のオン、および、ジェットタイマ時間の経過をトリガとして、気泡運転モードおよび保温運転モードが切り換えられる。
【００６２】
気泡運転モードおよび保温運転モードの各々では、ユーザによる連続運転スイッチのオフ、または、タイマ設定された運転終了時刻の到来により、風呂装置１００ａは、待機モードに復帰する。これにより、循環ポンプ１２０は停止される。さらに、メインスイッチがオフされると、風呂装置１００ａは停止モードに遷移して、電源がオフされる。
【００６３】
あるいは、気泡運転モードおよび保温運転モードでメインスイッチがオフされた場合には、風呂装置１００ａは、直接停止モードへ遷移することができる。この際にも、循環ポンプ１２０は停止される。
【００６４】
図１に示されるように、風呂装置１００ａでは、気泡運転モードでも、三方弁１５０の上流側における熱交換器１３０を通過する循環浴槽水の経路は、保温運転モードと同様である。したがって、気泡運転モードおよび保温運転モードの両方で、循環浴槽水の温度制御を実行することができる。さらに、気泡運転モードでは、三方弁１５０が状態２に制御される期間が設けられることにより、循環浴槽水による気泡が混入された水流を、たとえばジェット水流の態様で、浴槽アダプタ２２から出力することができる。
【００６５】
さらに、風呂装置１００ａでは、三方弁１５０の上流側に薬液注入口１７０が設けられているので、気泡運転モードおよび保温運転モードの両方で、薬液ポンプ２１２を作動させて循環浴槽水中の薬液濃度を調整することが可能である。したがって、待機モード遷移時に、後程説明する薬液注入制御が起動される。
【００６６】
次に、気泡運転モードおよび保温運転モードの各々における制御動作（温度制御および流路切替制御）を説明する。
【００６７】
図３は、保温運転モードにおける制御動作を説明するためのフローチャートである。図３に示した制御処理は、保温運転モード中に、制御部１０２が繰返し実行することができる。
【００６８】
図３を参照して制御部１０２は、ステップＳ１００により、温度検出器１６１によって検出された入水温度Ｔ１を取得すると、ステップＳ１０５により、入水温度Ｔ１を、保温運転モードでの設定温度Ｔｓｅｔと比較する。
【００６９】
制御部１０２は、Ｔ１＜Ｔｓｅｔのとき（Ｓ１０５のＹＥＳ判定時）には、ステップＳ１１０に処理を進めて、入水温度Ｔ１を昇温するための追焚を実行する。具体的には、熱源機２００の作動指令が生成されることによって、熱交換器１３０の通過により循環浴槽水が昇温される。
【００７０】
一方で、制御部１０２は、Ｔ１≧Ｔｓｅｔのとき（Ｓ１０５のＮＯ判定時）には、ステップＳ１２０により、熱源機２００の停止指令を生成する。これにより、熱交換器１３０を通過する循環浴槽水は昇温されなくなる。したがって、追焚の開始後には、浴槽水が昇温されて、ステップＳ１０５がＹＥＳ判定からＮＯ判定に切替わると、追焚は停止される。また、循環浴槽水の入水温度Ｔ１が設定温度Ｔｓｅｔ以上の期間では、追焚は開始されない。
【００７１】
制御部１０２は、保温運転モードを通じて、ステップＳ１３０により、三方弁１５０を状態１に制御する。
【００７２】
なお、ステップＳ１０５での判定について、追焚を開始するときと、停止するときとの間で設定温度Ｔｓｅｔにヒステリスを設けてもよい。たとえば、Ｔ１＜Ｔｓｅｔの成立に応じて追焚を開始（すなわち、Ｓ１０５のＹＥＳ判定）した後には、Ｔ１≧（Ｔｓｅｔ＋α）の成立に応じて（α＞０）追焚の停止（すなわち、Ｓ１０５のＮＯ判定）を判定することができる。
【００７３】
このように、保温運転モードにおいては、追焚によって入水温度Ｔ１が設定温度Ｔｓｅｔに維持される温度制御が実行されるとともに、気泡が混入されていない循環浴槽水が、浴槽アダプタ２１から出力される。
【００７４】
図４は、気泡運転モードにおける制御動作を説明するためのフローチャートである。
図４に示された制御処理は、気泡運転モードの期間中において、制御部１０２が繰返し実行することができる。
【００７５】
図４を参照して、制御部１０２は、ステップＳ２００により、温度検出器１６１によって検出された入水温度Ｔ１と、温度検出器１６２によって検出された、熱交換器１３０からの出力温度Ｔ２とを取得する。さらに、制御部１０２は、ステップＳ２０５により、出力温度Ｔ２を、気泡運転モードでの設定温度Ｔｊｅｔと比較する。ここで、設定温度Ｔｊｅｔは、保温運転モードでの設定温度Ｔｓｅｔよりも低く設定される（Ｔｊｅｔ＜Ｔｓｅｔ）。
【００７６】
たとえば、リモコン１９０は、保温運転モードでの設定温度Ｔｓｅｔをユーザが入力できるように構成することができる。さらに、ユーザによって設定された設定温度Ｔｓｅｔに基づき、Ｔｊｅｔ＝Ｔｓｅｔ−Ｔｘの演算によって、設定温度Ｔｊｅｔを決めることができる。この温度差Ｔｘ（Ｔｘ＞０）は、固定値としてもよく、ユーザがリモコン１９０によって入力可能な可変値としてもよい。
【００７７】
制御部１０２は、Ｔ２≧Ｔｊｅｔのとき（Ｓ２０５のＮＯ判定時）には、ステップＳ２１０により、三方弁１５０を状態１に制御する。これにより、気泡運転モードであっても、設定温度Ｔｊｅｔよりも高温の浴槽水は、浴槽アダプタ２２から気泡が混入された水流として出力されるのではなく、気泡を混入されずに浴槽アダプタ２１から出力される。さらに、制御部１０２は、出力温度Ｔ２を低下させるために、ステップＳ２５０に処理を進めて、熱源機２００に対して停止指令を生成する。
【００７８】
制御部１０２は、Ｔ２＜Ｔｊｅｔのとき（Ｓ２０５のＹＥＳ判定時）には、ステップＳ２２０により、三方弁１５０を状態２に制御する。これにより、循環浴槽水は、送水口１１２から出力された後、気泡が混入された水流、好ましくはジェット水流として浴槽アダプタ２２から出力される。
【００７９】
さらに、制御部１０２は、ステップＳ２３０に処理を進めて、入水温度Ｔ１を、気泡運転モードでの設定温度Ｔｊｅｔと比較する。制御部１０２は、Ｔ１＜Ｔｊｅｔのとき（Ｓ２３０のＹＥＳ判定時）には、ステップＳ２４０により、入水温度Ｔ１を上昇するための追焚を実行する。具体的には、ステップＳ１１０と同様に、熱源機２００の作動指令が生成されることによって循環浴槽水が昇温される。
【００８０】
一方で、制御部１０２は、Ｔ１≧Ｔｊｅｔのとき（Ｓ２３０のＮＯ判定時）には、ステップＳ２５０により、熱源機２００の停止指令を生成する。これにより、熱交換器１３０を通過する循環浴槽水は昇温されなくなる。したがって、追焚の開始後においては、浴槽水が昇温されてステップＳ２３０がＹＥＳ判定からＮＯ判定に切替わると、追焚は停止される。また、循環浴槽水の入水温度Ｔ１が設定温度Ｔｊｅｔ以上の期間では、ステップＳ２５０により追焚は開始されない。
【００８１】
なお、ステップＳ２３０での判定についても、ステップＳ１０５と同様のヒステリシスを設けてもよい。たとえば、Ｔ１＜Ｔｊｅｔの成立に応じて追焚を開始（すなわち、Ｓ２３０のＹＥＳ判定）した後には、Ｔ１≧（Ｔｊｅｔ＋α）の成立に応じて（α＞０）、追焚の停止（すなわち、Ｓ２３０のＮＯ判定）を判定することができる。
【００８２】
このように、気泡運転モードにおいては、追焚によって入水温度Ｔ１を設定温度Ｔｊｅｔに維持する温度制御（Ｓ２３０〜Ｓ２５０）が実行される。したがって、風呂装置１００ａでは、入水温度Ｔ１に基づく循環浴槽水の温度制御は、気泡運転モードおよび保温運転モードの両方で実行することができる。
【００８３】
さらに、気泡運転モードにおける設定温度Ｔｊｅｔは、保温運転モードでの設定温度Ｔｓｅｔよりも低く設定されている。これにより、気泡を混入されて浴槽アダプタ２２からのジェット水流がユーザに直接当たっても、熱さを感じさせることを防止できる。すなち、設定温度Ｔｓｅｔ（保温運転モード）は「第１の基準温度」に対応し、設定温度Ｔｊｅｔ（気泡運転モード）は「第２の基準温度」に対応する。
【００８４】
さらに、気泡運転モードでは、設定温度Ｔｊｅｔよりも高温の浴槽水が、気泡が混入される浴槽アダプタ２２から出力されないように、三方弁１５０による流路切替制御を実行することができる。
【００８５】
なお、図３および図４では、循環浴槽水の受水口１１０に配置された温度検出器１６１によって検出された入水温度Ｔ１に基づく温度制御（フィードバック制御）を例示したが、他の部位に配置された温度検出器による検出値に基づいて、循環浴槽水の温度を設定温度Ｔｓｅｔ，Ｔｊｅｔにフィードバック制御することも可能である。
【００８６】
図５には、薬液注入制御を説明するフローチャートが示される。図５に示される制御処理は、制御部１０２によって実行することができる。
【００８７】
図５を参照して、制御部１０２は、浴槽水の循環が開始される、待機モードから保温運転モードへの遷移に応じて（ステップＳ３００のＹＥＳ判定時）、ステップＳ３１０以降の処理を起動する。制御部１０２は、ステップＳ３１０に処理を進めて、薬液注入タイミングを規定するためのカウント値Ｔｃｎｔを０に初期化する。
【００８８】
制御部１０２は、保温運転モードまたは気泡運転モードから待機モードへの遷移、または、メインスイッチのオフによる停止モードへの遷移が検知されると（Ｓ３２０のＹＥＳ判定時）、循環ポンプ１２０による浴槽水の循環が停止されるので、処理を終了する。
【００８９】
一方で、制御部１０２は、待機モードまたは停止モードへの遷移が検知されるまで（Ｓ３２０のＮＯ判定時）には、ステップＳ３３０〜Ｓ３６０の処理を繰り返し実行する。制御部１０２は、ステップＳ３３０では、カウント値Ｔｃｎｔを周期的に１ずつ増加させる。制御部１０２は、ステップＳ３４０により、ステップＳ３３０で増加されたカウント値Ｔｃｎｔを基準値Ｔｃｙと比較する。
【００９０】
そして、制御部１０２は、Ｔｃｎｔ≧Ｔｃｙの場合（Ｓ３３０のＹＥＳ判定時）には、ステップＳ３５０により予め定められた時間、薬液ポンプ２１２を作動させる。そして、ステップＳ３６０によってカウント値Ｔｃｎｔが０にクリアされた後、処理はステップＳ３２０に戻される。一方で、制御部１０２は、Ｔｃｎｔ＜Ｔｃｙの場合（Ｓ３３０のＮＯ判定時）には、ステップＳ３５０，Ｓ３６０を実行することなく、処理をステップＳ３２０に戻す。
【００９１】
これにより、浴槽水の循環中には、基準値Ｔｃｙに従って薬液ポンプ２１２を周期的に作動することによって、循環浴槽水に薬液を注入することができる。すなわち、保温運転モードおよび気泡運転モードの両方に、定期的な薬液の注入により、循環浴槽水中の薬液濃度を所定レベルに維持することができる。
【００９２】
このように本実施の形態１に従う風呂装置１００ａでは、熱交換器１３０の下流側（浴槽水循環経路）に配置された三方弁１５０による流路切替制御によって、循環浴槽水への気泡の混入有無を切替ることにより、簡易な構成により、保温運転モードおよび気泡運転モードを選択的に適用できるとともに、保温運転モードおよび気泡運転モードを通じて、循環浴槽水の温度制御によって浴槽水を保温できる。さらに、温度制御における設定温度は、気泡運転モードでは保温運転モードよりも低く設定されるので、気泡を混入されて浴槽アダプタ２２からの水流（たとえば、ジェット水流）が直接当たっても、ユーザに熱さを感じさせることを防止できる。
【００９３】
さらに、気泡運転モードでは、熱交換器１３０の出力温度Ｔ２に基づく流路切替制御（三方弁１５０）がさらに実行されることにより、設定温度Ｔｊｅｔよりも高温の浴槽水による水流が浴槽１０へ出力されることを防止できる。これにより、気泡が混入された水流がユーザに熱さを感じさせることを、さらに確実に防止できる。
【００９４】
また、流路切替制御のための三方弁１５０の上流側（浴槽水の循環経路上）に薬液注入口１７０が設けられることにより、保温運転モードおよび気泡運転モードの両方で、循環浴槽水中の薬液濃度を所定レベルに維持することができる。これにより、気泡が混入された循環浴槽水が出力される浴槽アダプタ２２の近傍における大気中の細菌数を抑制することができる。
【００９５】
［実施の形態２］
実施の形態２では、保温運転モードおよび気泡運転モードでの薬液注入制御の変形例について説明する。
【００９６】
図６は、本発明の実施の形態２に従う風呂装置１００ｂを備える浴場システム５ｂの概略構成図である。
【００９７】
図６を参照して、実施の形態２に従う風呂装置１００ｂは、実施の形態１に従う風呂装置１００ａ（図１）と比較して、開閉弁１８２および薬液濃度センサ１８５を含むバイパス経路１８０をさらに備える点で異なる。開閉弁１８２は、たとえば、制御部１０２からの信号に応じて開閉制御される電磁弁によって構成される。
【００９８】
バイパス経路１８０は、開閉弁１８２の開放時に、配管１４１上の分岐点１８１から循環浴槽水の一部を導入するように構成される。バイパス経路１８０に導入された循環浴槽水は、薬液濃度センサ１８５を通過する。これにより、風呂装置１００ｂでは、循環浴槽水中の薬液濃度（たとえば、塩素濃度）を検出することができる。薬液濃度センサ１８５による検出値は、制御部１０２に送出される。一方で、制御部１０２が開閉弁１８２を閉止している期間では、バイパス経路１８０は形成されない。
【００９９】
バイパス経路１８０には、手動の開閉弁１８９をさらに配置することができる。開閉弁１８９の閉止により、風呂装置１００ｂの電源オフ期間（停止モード）において、薬液濃度センサ１８５が水に浸された状態を保持できる。
【０１００】
風呂装置１００ｂのその他の部分の構成は風呂装置１００ａと同様であるので、詳細な説明は繰返さない。また、風呂装置１００ｂと浴槽１０との接続関係についても、風呂装置１００ａと浴槽１０との間の接続関係と同様であるので、詳細な説明は繰返さない。
【０１０１】
なお、風呂装置１００ｂでは、運転モードの遷移（図２）、ならびに、保温運転モードおよび気泡運転モードにおける温度制御および流路切替制御（図３，４）について、バイパス経路１８０が形成されても、風呂装置１００ａと同様に適用することが可能である。一方で、実施の形態２に従う風呂装置１００ｂでは、薬液注入制御が実施の形態１（図５）とは異なる。
【０１０２】
図７は、実施の形態２に従う風呂装置１００ｂにおける薬液濃度制御のための制御処理を説明するフローチャートである。図７による制御処理は、制御部１０２によって繰り返し実行することができる。
【０１０３】
図７を参照して、制御部１０２は、浴槽水の循環が開始される、待機モードから保温運転モードへの遷移に応じて（ステップＳ４００のＹＥＳ判定時）、ステップＳ４１０により、開閉弁１８２の開放指令を生成する。これにより、循環浴槽水の一部が薬液濃度センサ１８５を通過するバイパス経路１８０が形成される。なお、待機モードが開始されないとき（Ｓ４００のＮＯ判定時）には、ステップＳ４９０により開閉弁１８２は閉状態に維持されるので、バイパス経路１８０は遮断される。
【０１０４】
制御部１０２は、ステップＳ４２０により、薬液濃度センサ１８５による薬液濃度検出値Ｄｃｌを取得する。さらに、制御部１０２は、ステップＳ４３０により、運転モードが気泡運転モードであるか否かを判定する。制御部１０２は、運転モードが気泡運転モードではないとき（Ｓ４３０のＮＯ判定時）には、ステップＳ４５０により、薬液濃度の基準値Ｄｒをデフォルト値であるＤ０に設定する。すなわち、保温運転モードでは、Ｄｒ＝Ｄ０に設定される。
【０１０５】
これに対して、制御部１０２は、運転モードが気泡運転モードであるとき（Ｓ４３０のＹＥＳ判定時）には、ステップＳ４４０により、薬液濃度の基準値Ｄｒを、デフォルト値Ｄ０よりも低いＤ１に設定する（Ｄ１＜Ｄ０）。
【０１０６】
制御部１０２は、ステップＳ４６０により、薬液濃度検出値Ｄｃｌ（Ｓ４２０）と、ステップＳ４４０またはＳ４５０で設定された基準値Ｄｒとを比較する。そして、ＤＣｌ＜Ｄｒのときには、ステップＳ４７０により、予め定められた時間、薬液ポンプ２１２を作動させる。一方で、ＤＣｌ≧Ｄｒのときには、ステップＳ４７０はスキップされるので、薬液ポンプ２１２は停止される。
【０１０７】
これにより、薬液濃度検出値Ｄｃｌが、保温モードおよび気泡運転モードで別個に設定される基準値Ｄｒに従って制御されるように、薬液ポンプ２１２が作動または停止される。
【０１０８】
制御部１０２は、ステップＳ４８０により、保温運転モードまたは気泡運転モードから待機モードへの遷移、または、メインスイッチのオフによる停止モードへの遷移が検知されると（Ｓ４８０のＹＥＳ判定時）、ステップＳ４９０に処理を進めて、開閉弁１８２を閉止して、バイパス経路１８０を遮断する。
【０１０９】
一方で、制御部１０２は、待機モードまたは停止モードの遷移が検知されるまでは（Ｓ４８０のＮＯ判定時）、処理をステップＳ４２０へ戻すことにより、薬液濃度センサ１８５による薬液濃度検出値Ｄｃｌに基づく薬液濃度制御（Ｓ４２０〜Ｓ４７０）を継続的に実行する。
【０１１０】
したがって、実施の形態２に従う風呂装置では、保温運転モードまたは気泡運転モードを通じて、薬液濃度センサ１８５による薬液濃度検出値Ｄｃｌに基づいて薬液濃度制御を基準値Ｄｒに制御することができる。さらに、気泡運転モードでは、薬液濃度を保温運転モードよりも低下させることができるので、循環浴槽水に気泡が混入されることにより、ユーザが薬液の匂いを感じ易い気泡運転モードにおける不快感を抑制することができる。
【０１１１】
なお、気泡運転モードにおける薬液濃度を保温運転モードより低下させる薬液濃度制御は、薬液濃度センサが配置されない実施の形態１に従う風呂装置１００ａの構成においても実現することができる。
【０１１２】
図８は、実施の形態１に従う風呂装置１００ａにおいて、実施の形態２と同様の薬液濃度制御を行なうための制御処理を説明するフローチャートである。
【０１１３】
図８に示された制御処理は、図５に示された制御処理と同様に、風呂装置１００ａにおいて制御部１０２が実行することができる。
【０１１４】
図８を参照して、制御部１０２は、図５と同様の、ステップＳ３００〜Ｓ３３０およびステップＳ３４０〜Ｓ３６０の処理に加えて、基準値Ｔｃｙを可変に設定するためのステップＳ３７０をさらに実行する。ステップＳ３７０は、ステップＳ３７２、Ｓ３７４およびＳ３７６を含む。
【０１１５】
制御部１０２は、ステップＳ３７２では、運転モードが気泡運転モードであるか否かを判定する。制御部１０２は、運転モードが気泡運転モードではないとき（Ｓ３７２のＮＯ判定時）には、ステップＳ３７４により、基準値Ｔｃｙをデフォルト値であるＴ０に設定する。すなわち、保温運転モードでは、Ｔｃｙ＝Ｔ０に設定される。
【０１１６】
これに対して、制御部１０２は、運転モードが気泡運転モードであるとき（Ｓ３７２のＹＥＳ判定時）には、ステップＳ３７６により、基準値Ｔｃｙをデフォルト値Ｔ０よりも長いＴ１（Ｔ１＞Ｔ０）に設定する。
【０１１７】
制御部１０２は、ステップＳ３４０〜Ｓ３６０では、ステップＳ３３０で増加されたカウント値Ｔｃｎｔと基準値Ｔｃｙとの比較に従って、薬液ポンプ２１２を周期的に作動させる。
【０１１８】
したがって、図８に示された制御処理によれば、気泡運転モードにおける薬液ポンプ２１２の作動周期を、保温運転モードよりも長く設定することができる。したがって、図７のような薬液濃度センサ１８５を配置することなく、実施の形態２に従う風呂装置と同様に、気泡運転モードにおける薬液濃度を保温運転モードより低下させる薬液濃度制御を実現することが可能である。
【０１１９】
［実施の形態３］
実施の形態３では、吸気口３０を風呂装置に設けたときの構成および制御について説明する。
【０１２０】
図９は、実施の形態３に従う風呂装置１００ｃが適用された浴場システム５ｃの構成を説明する概略構成図である。
【０１２１】
図９を参照して、実施の形態３に従う風呂装置１００ｃは、実施の形態２に従う風呂装置１００ｂの構成と比較して、吸気口３０が、風呂装置１００ｃの筐体に設けられている点が異なる。この結果、エアー混入口４５は、風呂装置１００ｃ内部において、配管１４２上に設けられる。さらに、吸気口３０およびエアー混入口４５の間には、開閉弁１９５が配置される。たとえば、開閉弁１９５は、制御部１０２によって開閉が制御される電磁弁によって構成することができる。
【０１２２】
制御部１０２が開閉弁１９５を閉止すると、配管１４２を通流する循環浴槽水に対する気泡の混入を停止することができる。一方で、制御部１０２が、開閉弁１９５を開放すると、実施の形態１および２と同様に、浴槽アダプタ２２から出力される水流（循環浴槽水）に気泡を混入することができる。したがって、実施の形態３に従う構成では、気泡運転モードにおいて、開閉弁１９５の開閉によって気泡の混入有無を制御することができる。
【０１２３】
風呂装置１００ｃのその他の部分の構成は、実施の形態２に従う風呂装置１００ｂ（図７）と同様であるので詳細な説明は繰返さない。また、風呂装置１００ｃおよび浴槽１０との接続関係についても、図６と同様であるので詳細な説明は繰返さない。
【０１２４】
なお、風呂装置１００ｃでは、運転モードの遷移（図２）、ならびに、保温運転モードおよび気泡運転モードにおける温度制御および流路切替制御（図３，４）については、風呂装置１００ａ，１００ｂと同様に適用することが可能である。また、薬液注入制御については、実施の形態２（図７）と同様に実行することができる。
【０１２５】
図１０は、実施の形態３に従う風呂装置１００ｃにおける開閉弁の制御処理を説明するためのフローチャートである。図１０による制御処理は、制御部１０２によって繰り返し実行することができる。
【０１２６】
図１０を参照して、制御部１０２は、ステップＳ５００により、気泡運転モード中であるかどうかを選択する。気泡運転モードでないとき（Ｓ５００のＮＯ判定時）には、ステップＳ５４０により、開閉弁１９５は閉状態に制御される。
【０１２７】
一方で、制御部１０２は、気泡運転モードであるとき（Ｓ５００のＹＥＳ判定時）には、ステップＳ５１０により、温度検出器１６３によって検出される雰囲気温度Ｔ３、および、温度検出器１６４によって検出される浴槽アダプタ２２からの出力温度Ｔ４を取得する。さらに、制御部１０２は、ステップＳ５１５により、雰囲気温度Ｔ３（Ｓ５１０）を基準温度Ｔｔｈと比較する。
【０１２８】
制御部１０２は、雰囲気温度Ｔ３≧Ｔｔｈのとき（Ｓ５１５のＮＯ判定時）には、ステップＳ５２０に処理を進めて、開閉弁１９５を開放する。これにより、循環浴槽水に気泡が混入される。
【０１２９】
一方で、雰囲気温度Ｔ３が基準温度Ｔｔｈよりも低い低温時には、エアーを循環浴槽水に混入することによる水温の低下が懸念される。したがって、制御部１０２は、雰囲気温度Ｔ３＜Ｔｔｈのとき（Ｓ５１５のＹＥＳ判定時）には、ステップＳ５３０に処理を進めて、浴槽アダプタ２２からの出力温度Ｔ４を判定温度Ｔｒと比較する。
【０１３０】
ここで、気泡運転モードでは、図４に示された、浴槽水（入水温度Ｔ１）を設定温度Ｔｊｅｔに保温するための温度制御が実行されている。ステップＳ５３０での判定温度Ｔｒは、気泡運転モードでの設定温度Ｔｊｅｔよりも低い温度に設定される（Ｔｊｅｔ＞Ｔｒ）。
【０１３１】
制御部１０２は、出力温度Ｔ４が判定温度Ｔｒよりも低いときには（Ｓ５３０のＹＥＳ判定時）、ステップＳ５４０に処理を進めて、出力温度Ｔ４がさらに低下しないように、開閉弁１９５を閉止する。これにより、循環浴槽水への気泡の混入が停止されるので、出力温度Ｔ４がさらに低下することを防止できる。
【０１３２】
一方で、制御部１０２は、Ｔ４≧Ｔｒのとき（Ｓ５３０のＮＯ判定時）には、ステップＳ５２０により、開閉弁１９５を開放する。これにより、循環浴槽水へ気泡が混入される。このように、基準温度Ｔｔｈは「第３の基準温度」に対応し、判定温度Ｔｒは「第４の基準温度」に対応する。
【０１３３】
このように、実施の形態３に従う風呂装置では、気泡運転モード時に、雰囲気温度Ｔ３が低い場合には、気泡の混入によって出力温度Ｔ４が低下し過ぎることを防止できるので、ユーザに不快感を与えることを防止できる。
【０１３４】
なお、実施の形態３に従う構成では、図１に従う風呂装置１００ａに対して、図９と同様に、吸気口３０、エアー混入口４５および、開閉弁１９５を設けることも可能である。この場合にも、開閉弁１９５の制御には、図１０と同様の制御処理を適用することができる。また、循環浴槽水の薬液濃度制御は、図５または図８に示した制御処理を適用することができる。
【０１３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３６】
５ａ，５ｂ，５ｃ  浴場システム、１０  浴槽、１５  ジェットスイッチ、２０  吸入金具、２１  浴槽アダプタ、２２  浴槽アダプタ（気泡混入）、３０  吸気口、４０，４１，４２  循環配管、４５  エアー混入口、５０，５２  開閉弁（手動）、１００ａ，１００ｂ，１００ｃ  風呂装置、１０２  制御部、１０５  ヘアーキャッチャー、１１０  受水口、１１１，１１２  送水口、１２０  循環ポンプ、１２１  熱媒体入力口、１２２  熱媒体出力口、１３０  熱交換器、１３１  一次側経路、１３２  二次側経路、１４０〜１４３  配管、１５０  三方弁、１６１〜１６４  温度検出器、１７０  薬液注入口、１８０  バイパス経路、１８１  分岐点、１８２，１８９，１９５  開閉弁（自動）、１８５  薬液濃度センサ、１９０  リモコン、１９２  スイッチ、２００  熱源機、２１０  薬液注入装置、２１２  薬液ポンプ、２１５  薬液タンク、２１６  レベル計、Ａ，Ｂ，Ｃ  ポート、Ｄｃｌ  薬液濃度検出値、Ｔ１  入水温度、Ｔ２  出力温度（熱交換器）、Ｔ３  雰囲気温度、Ｔ４  出力温度（浴槽アダプタ）、Ｔｃｎｔ  カウント値、Ｔｊｅｔ  設定温度（気泡運転モード）、Ｔｓｅｔ  設定温度（保温運転モード）、Ｔｒ  判定温度、Ｔｔｈ  基準温度。
【図１】
2018099424.tif 000003
【図２】
2018099424.tif 000004
【図３】
2018099424.tif 000005
【図４】
2018099424.tif 000006
【図５】
2018099424.tif 000007
【図６】
2018099424.tif 000008
【図７】
2018099424.tif 000009
【図８】
2018099424.tif 000010
【図９】
2018099424.tif 000011
【図１０】
2018099424.tif 000012